(57)【要約】  本発明は、患者の骨盤部における出血を防ぐための腹腔用バルーンに関し、該腹腔用バルーンは膨張式バルーンを備え、該膨張式バルーンには滑らかな表面とストリップとが設けられ、該ストリップはバルーンを位置調整するために屈曲剛性がありかつバルーンの形状に従うように形成される。【選択図】図２
2009516566.tif 000002
【特許請求の範囲】
【請求項１】
患者の骨盤部における出血を防ぐための、膨張式バルーン（２）を備えた腹腔用バルーン（１）であって、前記バルーン（２）には滑らかな表面とストリップ（３）とが設けられ、該ストリップは前記バルーンを位置調整するために屈曲剛性がありかつ前記バルーン（２）の形状に従うように形成された、
ことを特徴とする腹腔用バルーン（１）。
【請求項２】
前記バルーン（２）は、予め成形した区画（４、５、６）に分割された、
ことを特徴とする請求項１に記載の腹腔用バルーン。
【請求項３】
３つのサブ区画（４、５、６）が設けられ、また、前記ストリップ（３）は、これらの区画（４、５、６）のうちの第１の区画（４）の形状に従うように形成され、第２の区画（５）から第３の区画（６）へと曲線をなして伸び、使用中、そこから前記患者の体外に突き出る、
ことを特徴とする請求項２に記載の腹腔用バルーン。
【請求項４】
前記ストリップ（３）は、前記バルーン（２）を膨張させる媒体の吸気及び排気のための導管を備える、
ことを特徴とする上記請求項のうちの１項に記載の腹腔用バルーン。
【請求項５】
前記導管は、前記バルーン（２）の前記区画（４、５、６）を個々に膨らませるように設計された、
ことを特徴とする請求項２、３又は４に記載の腹腔用バルーン。
【請求項６】
前記バルーン（２）の外面には凝固を促進するコーティングが施された、
ことを特徴とする上記請求項のうちの１項に記載の腹腔用バルーン。
【発明の詳細な説明】
【技術分野】
【０００１】
本発明は、患者の骨盤部における出血を防ぐための、膨張式バルーンを備えた腹腔用バルーンに関する。
【背景技術】
【０００２】
腹部の手術中に起り得る出血は、一般的に、十分な量の無菌ガーゼで骨盤腔を満たし、関連する血管を押圧して閉ざすことにより止められる。このガーゼは、感染のリスクを最小限にとどめるために４８時間以内に除去する必要がある。このガーゼの除去にはさらなる手術が必要となり、この手術は患者に相当の負担をかけ、該手術の実施に伴うすべての保証を満たすことが求められる。
【０００３】
一般的な目的は、患者にかかる負担を軽減し、出血を防ぐために必要とされる器具の除去に必要な手術の規模を限定することである。
【０００４】
米国特許明細書第２００３／０２３６５４６号は、腹腔内の出血を止めるためのバルーン製品に関し、特に、分娩中に生じる出血に関する。このバルーンには、バルーンを空気又は生理液で膨張させるための注入管が設けられている。このバルーンは、ウレタン、ゴム、シリコン、合成ゴム、又はビニルなどの膨張可能な素材から作られており、膨張時には、止血圧を加える必要がある空間に均等になじむように好適に心臓の形状を形取る。バルーンの表面に、止血性の塗料を塗布するか、又は含浸させるか、或いは別様に与えて、出血の制御を可能にする。バルーンには、腹腔から液体（血液）を除去するための排液管がさらに設けられている。この排液管に関しては、米国特許明細書第２００３／０２３６５４６号に、排液管は、バルーンの膨張時にその内径を維持するために、十分に剛直であることが望ましいとの注釈がある。
【０００５】
この米国特許明細書第２００３／０２３６５４６号には、これ以上、腹腔内でバルーンの位置調整を最適化する方法も、腹腔内の組織への癒着を防ぐ方法も示されていない。
【０００６】
加えて、米国特許明細書第２００３／０２３６５４６号により周知のこの装置は、腹腔が露出される外科手術中に利用するために設計されたものではない。
【０００７】
【特許文献１】米国特許明細書第２００３／０２３６５４６号公報
【発明の開示】
【発明が解決しようとする課題】
【０００８】
本発明の目的は、腹腔が露出される外科手術中の利用を目的とした、バルーンの位置調整を効果的に実施できるような腹腔用バルーンを提供する一方で、従来技術の状態と比較して患者にかかる負担を軽減させることである。
【課題を解決するための手段】
【０００９】
この目的のために、本発明による腹腔用バルーンは、滑らかな表面とストリップとがバルーンに設けられ、該ストリップは、バルーンを位置調整するために屈曲剛性がありかつバルーンの形状に従うように形成されることを特徴とする。
【００１０】
このバルーンを利用することにより、バルーンの形状に従うストリップの助けによってバルーンの位置を最適化しながら、出血に対応する圧力を血管に加えることができる。この目的のために、同じストリップが、バルーンを所定の位置に操作できるようにするために十分な屈曲剛性を有することが必須である。出血が止まり、出血に対処するためにバルーンがもはや必要でなくなると、バルーンの形状に従うストリップはまた、侵襲の少ない手術において、バルーンを腹腔から容易に除去する役割も果たすことになる。バルーンの滑らかな表面が組織への癒着を防ぐので、容易な除去が促進される。このようにして、患者にかかる負担が効果的に限定される。
【００１１】
本発明の別の側面では、腹腔用バルーンは、バルーンが、予め成形した区画に分割されていることを特徴とする。
【００１２】
このようにして、最適化した形状でかつ患者の腹腔内で使用するよう十分に適合された状態でバルーンを提供することができる。
【００１３】
本発明による腹腔用バルーンの非常に好適な実施形態としては、３つのサブ区画が設けられ、また、ストリップが、これらの区画のうちの第１の区画の形状に従うように形成され、第２の区画から第３の区画へと曲線をなして伸び、使用中、そこから患者の体外に突き出ることを特徴とする。
【００１４】
本発明のさらに別の側面では、この腹腔用バルーンは、上記ストリップが、バルーンを膨張させる媒体の吸気及び排気のための導管を備えることを特徴とする。
【００１５】
この特徴はバルーンへの給圧に便利な態様である一方、出血を止めるべく供給する圧量を正確に調節できるようにするものである。
【００１６】
本発明による腹腔用バルーンの止血特性は、バルーンの区画を個別に膨らませるように設計された導管の寸法によってさらに高められる。
【００１７】
本発明のさらに別の側面では、腹腔用バルーンは、バルーン外面に凝固を促進するコーティングが施されていることを特徴とする。
【００１８】
これにより、本発明による装置の止血特性はさらに改善される。
【００１９】
以下、本発明は、添付の特許請求の範囲を限定しない例示の実施形態を通じて、及び図面を参照しながらさらに明らかになるであろう。
【発明を実施するための最良の形態】
【００２０】
図における同一の参照番号は同様の部分を意味するものとする。
【００２１】
まず図１を参照すると、参照番号１は、本発明による患者の出血を防ぐための腹腔用バルーンを示す。この腹腔用バルーンは、患者の骨盤部で使用するように設計されると共に、膨張式バルーン２を備える。
【００２２】
バルーン２は滑らかな表面を有し、このバルーン２を位置調整するために、バルーン２の形状に従う、屈曲に対して剛直なストリップ３を有する。
【００２３】
図２は、バルーン２が予め形成された３つのサブ区画４、５及び６によって仕切られ、具現化されていることを示す。
【００２４】
上記目的のために、ストリップ３は、これらの区画４、５、６のうちの第１の区画４に従って成形され、第２の区画５から第３の区画６へと曲線をなして伸び、使用時に、このストリップ３は患者の体外に突き出るようになる。
【００２５】
図２の破線は、バルーン２の区画４、５、６を膨張させる媒体の吸気及び排気のための導管がストリップ３内に設けられていることを示す。図１では、これらの吸気及び排気のための導管の開口部を参照番号７で示している。
【００２６】
導管は、バルーン２の独立した区画４、５、６を個別に膨らませるように設計されている。
【００２７】
最後に、バルーン２の外面には凝固を促進するコーティングを施すことができることを付記しておく。
【図面の簡単な説明】
【００２８】
【図１】本発明による腹腔用バルーンの立面図である。
【図２】図１の腹腔用バルーンの透視画である。
【符号の説明】
【００２９】
１  腹腔用バルーン
２  膨張式バルーン
３  ストリップ
４  サブ区画
５  サブ区画
６  サブ区画
【図１】
2009516566.tif 000003
【図２】
2009516566.tif 000004
【国際調査報告】
2009516566.tif 000005
2009516566.tif 000006
2009516566.tif 000007